(57)【要約】【課題】冷却温度の異なる商品及び加熱する商品を同時に収納することができるショーケースを提供する。【解決手段】商品収納部１７の背面側に位置する通風路３０の下端側を商品収納部１７側と断熱壁１１側とに仕切る仕切板３３と、仕切板３３によって形成された第１の背面側通風路３３ａ及び第２の背面側通風路３３ｂをそれぞれ流通する空気を異なる温度に冷却可能な冷却器３４ａ，３４ｂと、第１の背面側通風路３３ａの上下方向所定位置を上下方向に仕切るとともに、空気を前方に流通させて商品収納部１７に吐出可能な冷気流通ダクト４０とを備えたので、冷却温度の異なる空気をそれぞれ商品収納部１７に吐出し、商品収納部１７の温度を同時に異なる第１の所定温度及び第２の所定温度に冷却することができ、商品収納部１７に冷却温度の異なる商品を同時に収納することが可能となる。【選択図】図７
2007085611.tif 000002
【特許請求の範囲】
【請求項１】
前面に開口部を有するショーケース本体と、ショーケース本体内に設けられた商品収納部と、商品収納部に配置された上下複数段の商品棚と、商品収納部の少なくとも背面側に上下方向に延びるように設けられた通風路と、通風路内に設けられた送風機とを備えたショーケースにおいて、
前記商品収納部の背面側に位置する通風路の少なくとも下端側を商品収納部側とショーケース本体の内面側とに仕切る仕切部材と、
仕切部材の商品収納部側及びショーケース本体の内面側を流通する空気をそれぞれ異なる温度に冷却可能な冷却器と、
仕切部材の商品収納部側の通風路の上下方向所定位置を上下方向に仕切るとともに、空気を前方に流通させて商品収納部に吐出可能な冷気流通ダクトとを備えた
ことを特徴とするショーケース。
【請求項２】
前記冷気流通ダクトの上方に位置する通風路の上下方向所定位置を上下方向に仕切るとともに、空気を前方に流通させて商品収納部に吐出可能な冷気流通ダクトを備えた
ことを特徴とする請求項１記載のショーケース。
【請求項３】
前記冷却器を、仕切部材の商品収納部側の通風路を流通する空気を冷却する第１の冷却器と、ショーケース本体の内面側の通風路を流通する空気を冷却する第２の冷却器とから構成した
ことを特徴とする請求項１または２記載のショーケース。
【請求項４】
前記冷却器を、仕切部材の商品収納部側の通風路とショーケース本体の内面側の通風路に亘って設けられた１つの冷却器から構成した
ことを特徴とする請求項１または２記載のショーケース。
【請求項５】
前記冷気流通ダクトを各商品棚に着脱可能に構成した
ことを特徴とする請求項１記載のショーケース。
【発明の詳細な説明】
【技術分野】
【０００１】
本発明は、保存温度の異なる商品を同時に収納可能なショーケースに関するものである。
【背景技術】
【０００２】
従来、この種のショーケースとしては、前面に開口部を有するショーケース本体と、ショーケース本体内に形成された商品収納部と、商品収納部に配置された上下複数段の商品棚と、商品収納部の少なくとも背面側に上下方向に延びるように設けられた通風路と、通風路内に配置された冷却器及び送風機とを備え、ショーケース本体の開口部の下端側に設けられた空気吸入口から通風路に吸入した空気を冷却し、開口部の上端側に設けられた空気吐出口から吐出することにより、商品棚に陳列された商品を冷却するようにしたものが知られている。
【０００３】
また、前記ショーケースにおいて、通風路の上下方向所定位置を上下方向に仕切るとともに、空気を前方に流通させて商品収納部に吐出可能な冷気流通ダクトを備え、冷気流通ダクトの下側の商品棚に陳列された商品を冷却し、冷気流通ダクトの上側の商品棚に陳列された商品を電気ヒータによって加熱するようにしたものが知られている（例えば、特許文献１参照）。
【特許文献１】特開２００４−２８６４３３号公報
【発明の開示】
【発明が解決しようとする課題】
【０００４】
従来のショーケースでは、商品収納部を冷却する場合、空気吸入口から通風路に吸入した空気を冷却器によって所定の温度に冷却して空気吐出口または冷気流通ダクトから吐出するようにしているため、例えば商品収納部の下側を第１の所定温度（３℃）に冷却し、商品収納部の上側を第２の所定温度（５℃）に冷却するように、商品収納部を同時に二温度以上の冷却温度に設定することはできない。このため、冷却温度の異なる商品を収納する場合には、それぞれ異なるショーケースの設置が必要となり、売り場面積の小さい店舗内において商品を効率的に収納することができないという問題点があった。
【０００５】
本発明は前記問題点に鑑みてなされたものであり、その目的とするところは、冷却温度の異なる商品及び加熱する商品を同時に収納することができるショーケースを提供することにある。
【課題を解決するための手段】
【０００６】
本発明は前記目的を達成するために、前面に開口部を有するショーケース本体と、ショーケース本体内に設けられた商品収納部と、商品収納部に配置された上下複数段の商品棚と、商品収納部の少なくとも背面側に上下方向に延びるように設けられた通風路と、通風路内に設けられた送風機とを備えたショーケースにおいて、前記商品収納部の背面側に位置する通風路の少なくとも下端側を商品収納部側とショーケース本体の内面側とに仕切る仕切部材と、仕切部材の商品収納部側及びショーケース本体の内面側を流通する空気をそれぞれ異なる温度に冷却可能な冷却器と、仕切部材の商品収納部側の通風路の上下方向所定位置を上下方向に仕切るとともに、空気を前方に流通させて商品収納部に吐出可能な冷気流通ダクトとを備えている。
【０００７】
これにより、仕切部材の商品収納部側を流通する空気が冷気流通ダクトによって通風路の上下方向所定位置から前方に流通することから、冷却温度の異なる空気がそれぞれ商品収納部に吐出され、商品収納部が同時に異なる冷却温度に冷却される。
【発明の効果】
【０００８】
本発明によれば、冷却温度の異なる空気をそれぞれ商品収納部に吐出し、商品収納部を同時に異なる冷却温度に冷却することができるので、商品収納部に冷却温度の異なる商品を同時に収納することが可能となる。
【発明を実施するための最良の形態】
【０００９】
図１乃至図７は本発明の第１の実施形態を示すもので、図１はショーケースの全体斜視図、図２はショーケースの側面断面図、図３はショーケースの冷凍サイクルを示す冷媒回路図、図４は冷気流通ダクトの取付け状態を示すショーケースの要部側面断面図、図５は商品収納部の加熱及び一温度での冷却を同時に行なう場合を示すショーケースの側面断面図、図６は商品収納部の二温度での冷却を同時に行なう場合を示すショーケースの側面断面図、図７は商品収納部の加熱及び二温度での冷却を同時に行なう場合を示すショーケースの側面断面図である。
【００１０】
このショーケースは、前面に開口部を有するショーケース本体１０と、ショーケース本体１０内に設けられた上下複数段の商品棚２０と、ショーケース本体１０内の底面側、背面側及び上面側に沿って形成された通風路３０と、通風路３０の背面側の上下方向所定位置から前方に延びる冷気流通ダクト４０とを備えている。
【００１１】
ショーケース本体１０は上面側、背面側及び底面側が断熱壁１１によって形成されている。また、ショーケース本体１０の左右両側面側は、上面側、背面側及び底面側が断熱壁１２によって形成されるとともに、断熱壁１２の上面側と、底面側の間はガラス板１３によってそれぞれ覆われている。ショーケース本体１０内には、断熱壁１１の内面と間隔をおいて上面側、背面側及び底面側にそれぞれ上面板１４、背面板１５及び底板１６が設けられ、その内部に商品収納部１７が形成されている。
【００１２】
各商品棚２０は、商品を載置するための棚板２１と、棚板２１を支持するための一対の棚受２２とからなり、棚受２２の後端側が商品収納部１７の上下方向任意の位置に支持されるようになっている。棚板２１は、棚受２２の前端側に回動自在に連結されており、棚板２１の上面を水平とする他、前下りに傾斜させることが可能となっている。また、棚板２１には電気ヒータ２３が設けられ、電気ヒータ２３に通電することにより棚板２１に載置された商品を加熱することが可能となっている。更に、棚板２１の下面側には、冷気流通ダクト４０を取付可能な幅方向一対の上レール部２４が設けられている。本実施形態において、商品収納部１７には、上下８段の商品棚２０が設けられている。
【００１３】
通風路３０は断熱壁１１の内面と上面板１４、背面板１５及び底板１６との間に形成され、ショーケース本体１０の開口部の下端に位置する通風路３０の端部には空気吸入口３１が設けられるとともに、開口部の上端に位置する通風路３０の端部には空気吐出口３２が設けられている。商品収納部１７の背面側に位置する通風路３０は、上端側を除いて商品収納部１７側と断熱壁１１の内面側に仕切板３３によって仕切ることにより、第１の背面側通風路３３ａと第２の背面側通風路３３ｂが設けられている。また、第１の背面側通風路３３ａの下端側には第１の背面側通風路３３ａを流通する空気を冷却するための第１の冷却器３４ａが設けられ、第２の背面側通風路３３ｂの下端側には第２の背面側通風路３３ｂを流通する空気を冷却するための第２の冷却器３４ｂが設けられている。第１及び第２の冷却器３４ａ，３４ｂは、第１の背面側通風路３３ａを流通する空気及び第２の背面側通風路３３ｂを流通する空気をそれぞれ異なる温度に冷却可能となっている。背面板１５には冷気流通ダクト４０の後端側を挿入可能な幅方向に延びるダクト挿入孔３５が互いに上下方向に間隔をおいて複数設けられ、各ダクト挿入孔３５はそれぞれ開閉板３６によって開閉自在に設けられている。底面側の通風路３０には送風機３７が設けられ、送風機３７によって空気吸入口３１から通風路３０内に空気を吸入して空気吐出口３２から吐出するようになっている。ここで、第１及び第２の冷却器３４ａ，３４ｂは、図３に示すような冷媒回路５０に接続されている。冷媒回路５０は、第１及び第２の冷却器３４ａ，３４ｂ、圧縮機５１、凝縮器５２、膨張弁５３、第１及び第２の電磁弁５４ａ，５４ｂを備え、これらは例えば銅製の冷媒流通用の配管によって接続されている。即ち、圧縮機５１の吐出側には凝縮器５２の冷媒流入側が接続され、凝縮器５２の冷媒流出側には第１及び第２の冷却器３４ａ，３４ｂがそれぞれ並列に接続されている。また、凝縮器５２の冷媒流出側と第１及び第２の冷却器３４ａ，３４ｂの間には膨張弁５３が設けられ、第１及び第２の冷却器３４ａ，３４ｂの各冷媒流入側と膨張弁５３との間にはそれぞれ電磁弁５４ａ，５４ｂが設けられている。更に、第１及び第２の冷却器３４ａ，３４ｂの冷媒流出側には圧縮機５１の冷媒吸入側が並列に接続され、冷凍サイクルが構成されている。この場合、圧縮機５１及び凝縮器５２は、室外機として屋外に設置され、第１及び第２の冷却器３４ａ，３４ｂによって吸熱した熱を屋外に排出するようになっている。また、ショーケース本体１０の下部または上部に図示しない機械室を設け、機械室の内部に圧縮機５１及び凝縮器５２を配置することにより、ショーケース本体１０と圧縮機５１及び凝縮器５２を一体に設けるようにしてもよい。
【００１４】
冷気流通ダクト４０は、空気を前方に流通させるダクト部４１と、通風路３０を上下方向に仕切ることにより上方の通風路３０への空気の流通を規制する仕切部４２とを有し、仕切部４２はダクト部４１に対して前後方向に伸縮可能となっている。ダクト部４１は、幅方向に延びる断面四角形状に形成され、前端側から冷気を下方に向かって吐出するようになっている。仕切部４２は、下面及び前面側が開放され、通風路３０を下方から上方に向かって流通する空気をダクト部４１に流通させるようになっている。また、仕切部４２の後端側には幅方向に亘って気密部材４２ａが設けられ、気密部材４２ａを仕切板３３または断熱壁１１の内面に当接させることにより通風路３０または第１の背面側通風路３３ａの上方への空気の漏洩を防止するようになっている。更に、ダクト部４１の上面側の幅方向両端側には前後方向に延びる板状の下レール部４３が外側に張り出すようにそれぞれ設けられ、各下レール部４３が各商品棚２０の上レール部４３と摺動可能に係合することにより、各商品棚２０に冷気流通ダクト４０を着脱自在に取付けられるようになっている。
【００１５】
以上のように構成されたショーケースにおいて、商品収納部１７に収納される商品の全てを所定温度（３℃または５℃）に冷却する場合には、冷気流通ダクト４０を使用することなく送風機３７を運転し、第１及び第２の電磁弁５４ａ，５４ｂの一方を開放して他方を閉鎖する。送風機３７によって空気吸入口３１から通風路３０内に流入した空気は、第１の冷却器３４ａまたは第２の冷却器３４ｂによって冷却され、空気吐出口３２から吐出されてショーケース本体１０の開口部にエアカーテンを形成する。これにより、商品収納部１７に収納される商品は、所定温度に冷却される。また、ショーケースが設置される店舗内の温度が高い場合など、冷却負荷が大きく冷却能力が不足する場合には、第１及び第２の電磁弁５４ａ，５４ｂを同時に開放し、通風路３０内に流入した空気を第１及び第２の冷却器３４ａ，３４ｂによって冷却する。
【００１６】
また、商品収納部１７に収納される商品の全てを加熱する場合には、送風機３７を運転することなく第１及び第２の電磁弁５４ａ，５４ｂを閉鎖し、各商品棚２０の棚板２１に設けられた電気ヒータ２３に通電する。これにより、棚板２１上に載置される商品は、電気ヒータ２３によって加熱される。
【００１７】
また、商品収納部１７の上部側の商品棚２０に載置される商品を加熱するとともに、下部側の商品棚２０に載置される商品を所定温度（３℃または５℃）に冷却する場合には、図５に示すように、加熱する商品が載置される商品棚２０のうち、最下段の商品棚２０の下部に冷気流通ダクト４０を取付け、仕切部４２の後端側を断熱壁１１の内面に当接させるとともに、送風機３７を運転し、第１及び第２の電磁弁５４ａ，５４ｂの一方を開放して他方を閉鎖する。本実施形態において、加熱する商品を載置可能な商品棚２０は、最上段の商品棚２０から３段目までの商品棚２０となる。送風機３７によって開口部の下端の空気吸入口３１から流入した空気は、第１または第２の冷却器３４ａ，３４ｂによって冷却された後に冷気流通ダクト４０を流通してダクト部４１の前端側から吐出される。これにより、商品収納部１７に収納される商品は、商品収納部１７の下部側に位置する商品棚２０に載置される商品が冷却され、商品収納部１７の上部側の商品棚２０に載置される商品がそれぞれ電気ヒータ２３によって加熱される。
【００１８】
次に、商品収納部１７の下部側の商品棚２０に載置される商品を第１の所定温度（３℃）に冷却するとともに、上部側の商品棚２０に載置される商品を第１の所定温度よりも温度の高い第２の所定温度（５℃）に冷却する場合を説明する。図６に示すように、第２の所定温度に冷却する商品が載置される商品棚２０のうち、最下段に位置する商品棚２０の下部に冷気流通ダクト４０を取付け、仕切部４２の後端側を仕切板３３に当接させるとともに、送風機３７を運転し、第１及び第２の電磁弁５４ａ，５４ｂを開放する。本実施形態において、第１の所定温度に冷却する商品を載置可能な商品棚２０は、最下段の商品棚２０から４段目までの商品棚２０となる。送風機３７によって空気吸入口３１から流入して第１の背面側通風路３３ａを流通する空気は、第１の冷却器３４ａによって冷却された後に冷気流通ダクト４０に流通してダクト部４１の前端側から吐出される。また、第２の背面側通風路３３ｂを流通する空気は、第２の冷却器３４ｂによって冷却された後に開口部の上端の空気吐出口３２から吐出される。これにより、商品収納部１７に収納される商品は、商品収納部１７の下部側の商品棚２０に載置される商品が第１の所定温度に冷却され、商品収納部１７の上部側の商品棚２０に載置される商品が第２の所定温度に冷却される。
【００１９】
更に、商品収納部１７の上部側の商品棚２０に載置される商品を加熱し、下部側の商品棚２０に載置される商品を第１の所定温度（３℃）及び第２の所定温度（５℃）に冷却する場合を説明する。このとき、冷却する商品を載置する商品棚２０の上部側を第２の所定温度に冷却し、下部側を第１の所定温度に冷却する。図７に示すように、加熱する商品が載置される商品棚２０のうち、最下段の商品棚２０の下部に冷気流通ダクト４０を取付け、仕切部４２の後端側を断熱壁１１の内面に当接させる。また、第２の所定温度に冷却する商品が載置される商品棚２０のうち、最下段の商品棚２０の下部に冷気流通ダクト４０を取付け、仕切部４２の後端側を仕切板３３に当接させる。更に、送風機３７を運転し、第１及び第２の電磁弁５４ａ，５４ｂを開放する。この場合、加熱する商品を載置可能な商品棚は、最上段の商品棚から３段目までの商品棚となる。また、第１の所定温度に冷却する商品を載置可能な商品棚２０は、最下段の商品棚２０から４段目までの商品棚２０となる。送風機３７によって空気吸入口３１から流入して第１の背面側通風路３３ａを流通する空気は、第１の冷却器３４ａによって冷却された後に冷気流通ダクト４０に流通してダクト部４１の前端側から吐出される。また、第２の背面側通風路３３ｂを流通する空気は、第２の冷却器３４ｂによって冷却された後に冷気流通ダクト４０に流通してダクト部４１の前端側から吐出される。これにより、商品収納部１７に収納される商品は、上部側の商品棚２０に載置される商品が電気ヒータ２３によって加熱され、下部側の商品棚２０に載置される商品が冷却される。また、冷却される商品は、冷却される商品を載置する商品棚のうち、下部側に位置する商品棚２０に載置される商品が第１の所定温度に冷却され、上部側に位置する商品棚２０に載置される商品が第２の所定温度に冷却される。
【００２０】
このように、本実施形態のショーケースによれば、商品収納部１７の背面側に位置する通風路３０の下端側を商品収納部１７側と断熱壁１１側とに仕切る仕切板３３と、仕切板３３によって形成された第１の背面側通風路３３ａ及び第２の背面側通風路３３ｂをそれぞれ流通する空気を異なる温度に冷却可能な冷却器３４ａ，３４ｂと、第１の背面側通風路３３ａの上下方向所定位置を上下方向に仕切るとともに、空気を前方に流通させて商品収納部１７に吐出可能な冷気流通ダクト４０とを備えたので、冷却温度の異なる空気をそれぞれ商品収納部１７に吐出し、商品収納部１７の温度を同時に異なる第１の所定温度及び第２の所定温度に冷却することができ、商品収納部１７に冷却温度の異なる商品を同時に収納することが可能となる。
【００２１】
また、冷気流通ダクト４０の上方に位置する通風路３０の上下方向所定位置を上下方向に仕切るとともに、空気を前方に流通させて商品収納部１７に吐出可能な冷気流通ダクト４０を備えたので、商品収納部１７の上部側への冷気の流通を規制することができ、商品収納部１７の上部側に位置する商品棚２０に常温で保存する商品や加熱する商品を載置することが可能となる。
【００２２】
また、第１の背面側通風路３３ａを流通する空気を冷却するための第１の冷却器３４ａと、第２の背面側通風路３３ｂを流通する空気を冷却するための第２の冷却器３４ｂとを備えたので、第１の背面側通風路３３ａ及び第２の背面側通風路３３ｂを流通する空気をそれぞれ第１の冷却器３４ａ及び第２の冷却器３４ｂによって冷却することができ、第１の背面側通風路３３ａ及び第２の背面側通風路３３ｂを流通する空気の温度制御を容易に行うことが可能となる。
【００２３】
また、冷気流通ダクト４０を各商品棚２０に着脱自在に設けたので、各商品棚２０の温度設定を任意に設定することができ、商品収納部１７のスペースを有効に利用することができる。
【００２４】
図８乃至図１１は本発明の第２の実施形態を示すもので、図８は商品収納部の加熱及び一温度での冷却を同時に行う場合を示すショーケースの側面断面図、図９は商品収納部の加熱及び一温度での冷却を同時に行う場合の他の例を示すショーケースの側面断面図、図１０は商品収納部の二温度での冷却を同時に行う場合を示すショーケースの側面断面図、図１１は商品収納部の加熱及び二温度での冷却を同時に行なう場合を示すショーケースの側面断面図である。尚、前記実施形態と同様の構成部分には同一の符号を付して示す。
【００２５】
このショーケースの通風路６０は、ショーケース本体１０の開口部の下端に設けられた空気吸入口６１の近傍を除いて、商品収納部側１７と断熱壁１１の内面側とに仕切板６２によって仕切られ、第１の通風路６０ａ及び第２の通風路６０ｂが形成されている。仕切板６２には、背面板１５と同様に、冷気流通ダクト４０の後端側を挿入可能な幅方向に延びるダクト挿入孔６２ａが互いに上下方向に間隔をおいて複数設けられ、各ダクト挿入孔６２ａはそれぞれ開閉板６２ｂによって開閉自在に設けられている。ショーケース本体１０の開口部の上端には、第１の通風路６０ａを流通する空気が吐出される空気吐出口６３ａと、第２の通風路６０ｂを流通する空気が吐出される空気吐出口６３ｂがそれぞれ前後方向に設けられている。第１及び第２の通風路６０ａ，６０ｂの底面側には、それぞれ第１の送風機６４ａ及び第２の送風機６４ｂが設けられ、第１及び第２の送風機６４ａ，６４ｂによって空気吸入口６１から第１及び第２の通風路６０ａ，６０ｂにそれぞれ空気を吸入して空気吐出口６３ａ，６３ｂから吐出するようになっている。
【００２６】
以上のように構成されたショーケースにおいて、商品収納部１７に収納される商品の全てを所定温度（３℃または５℃）に冷却する場合には、冷気流通ダクト４０を使用することなく第１及び第２の送風機６４ａ，６４ｂの一方または両方を運転し、第１及び第２の電磁弁５４ａ，５４ｂの一方または両方を開放する。
【００２７】
また、商品収納部１７に収納される商品の全てを加熱する場合には、前記第１の実施形態と同様に、各商品棚２０の棚板２１に設けられた電気ヒータ２３に通電する。
【００２８】
また、商品収納部１７の上部側の商品棚２０に載置される商品を加熱するとともに、下部側の商品棚２０に載置される商品を所定温度（３℃または５℃）に冷却する場合には、図８に示すように、加熱する商品が載置される商品棚２０のうち、最下段の商品棚２０の下部に冷気流通ダクト４０を取付け、仕切部４２の後端側をダクト挿入孔６２ａを介して断熱壁１１の内面に当接させる。また、第１及び第２の送風機６４ａ，６４ｂの一方または両方を運転し、第１及び第２の電磁弁５４ａ，５４ｂの一方または両方を開放する。更に、加熱する商品が載置される商品棚２０の電気ヒータ２３に通電する。この場合、図９に示すように、商品棚２０の下部に取付けた冷気流通ダクト４０の仕切部４２の後端側を仕切板６２に当接させ、第１の送風機６４ａを運転して第２の送風機６４ｂを停止し、第１の電磁弁５４ａを開放して第２の電磁弁５４ｂを閉鎖するようにしてもよい。
【００２９】
また、商品収納部１７の下部側の商品棚２０に載置される商品を第１の所定温度（３℃）に冷却するとともに、上部側の商品棚２０に載置される商品を第１の所定温度よりも温度の高い第２の所定温度（５℃）に冷却する場合には、図１０に示すように、第２の所定温度に冷却する商品が載置される商品棚２０のうち、最下段に位置する商品棚２０の下部に冷気流通ダクト４０を取付け、仕切部４２の後端側を仕切板６２に当接させる。また、第１及び第２の送風機６４ａ，６４ｂを運転し、第１及び第２の電磁弁５４ａ，５４ｂを開放する。
【００３０】
また、商品収納部１７の上部側の商品棚２０に載置される商品を加熱し、下部側の商品棚２０に載置される商品を第１の所定温度（３℃）及び第２の所定温度（５℃）に冷却する場合には、図１１に示すように、加熱する商品が載置される商品棚２０のうち、最下段の商品棚２０の下部に冷気流通ダクト４０を取付け、仕切部４２の後端側をダクト挿入孔６２ａを介して断熱壁１１の内面に当接させる。また、第２の所定温度に冷却する商品が載置される商品棚２０のうち、最下段の商品棚２０の下部に冷気流通ダクト４０を取付け、仕切部６２の後端側を仕切板６２に当接させる。更に、第１及び第２の送風機６４ａ，６４ｂを運転し、第１及び第２の電磁弁５４ａ，５４ｂを開放する。また、加熱する商品が載置される商品棚２０の電気ヒータ２３に通電する。
【００３１】
このように、本実施形態のショーケースによれば、前記第１の実施形態と同様に、冷却温度の異なる空気をそれぞれ商品収納部１７に吐出し、商品収納部１７の温度を同時に異なる第１の所定温度及び第２の所定温度に冷却することができ、商品収納部１７に冷却温度の異なる商品を同時に収納することが可能となる。
【００３２】
図１２は本発明の第３の実施形態を示すもので、商品収納部の加熱及び二温度での冷却を同時に行なう場合を示すショーケースの側面断面図である。尚、前記第１の実施形態と同様の構成部分には同一の符号を付して示す。
【００３３】
このショーケースは、図１２に示すように、第１の背面側通風路３３ａ及び第２の背面側通風路３３ｂに亘って一台の冷却器３４が設けられ、冷却器３４によって第１の背面側通風路３３ａ及び第２の背面側通風路３３ｂを流通するそれぞれの空気が冷却されるようになっている。
【００３４】
以上のように構成されたショーケースにおいて、冷気流通ダクト４０を着脱することにより、前記第１の実施形態と同様に、商品収納部１７に収納される商品を加熱及び二温度での冷却を行うことが可能となる。
【００３５】
このように、本実施形態のショーケースによれば、第１の背面側通風路３３ａと第２の背面側通風路３３ｂに亘って設けられた一台の冷却器３４を備えたので、一台の冷却器３４によって第１の背面側通風路３３ａ及び第２の背面側通風路３３ｂを流通する空気を冷却することができ、部品点数及び組付け工数の低減を図ることができる。
【００３６】
図１３は本発明の第４の実施形態を示すもので、商品収納部の加熱及び二温度での冷却を同時に行なう場合を示すショーケースの側面断面図である。尚、前記第２の実施形態と同様の構成部分には同一の符号を付して示す。
【００３７】
このショーケースは、第１の通風路６０ａ及び第２の通風路６０ｂに亘って一台の冷却器３４が設けられ、冷却器３４によって第１の通風路６０ａ及び第２の通風路６０ｂを流通する空気が冷却されるようになっている。
【００３８】
以上のように構成されたショーケースにおいて、冷気流通ダクト４０を着脱することにより、前記第２の実施形態と同様に、商品収納部１７に収納される商品を加熱及び二温度での冷却を行うことが可能となる。
【００３９】
尚、前記第１及び第２の実施形態では、図３に示すように、凝縮器５２に膨張弁５３を介して第１及び第２の冷却器３４ａ，３４ｂをそれぞれ並列に接続し、膨張弁５３によって減圧された冷媒を第１及び第２の電磁弁５４ａ，５４ｂを介して第１及び第２の冷却器３４ａ，３４ｂに流通させるようにしたものを示したが、図１４に示すように、凝縮器５２に第１及び第２の冷却器３４ａ，３４ｂをそれぞれ並列に接続し、弁の開度を調整可能な第１及び第２の電子膨張弁５３ａ，５３ｂを介して第１及び第２の冷却器３４ａ，３４ｂに冷媒を流通させるようにすることにより、第１及び第２の冷却器３４ａ，３４ｂの冷却能力をそれぞれ調整することが可能となる。
【００４０】
また、前記第１及び第３の実施形態では、１つの送風機３７によって第１の背面側通風路３３ａ及び第２の背面側通風路３３ｂに空気を流通させるようにしたものを示したが、図１５に示すように、第１の背面側通風路３３ａ及び第２の背面側通風路３３ｂにそれぞれ第１及び第２の送風機３７ａ，３７ｂを設け、第１及び第２の冷却器３４ａ，３４ｂと熱交換する空気をそれぞれ流通させることが可能となる。
【図面の簡単な説明】
【００４１】
【図１】本発明の第１の実施形態を示すショーケースの全体斜視図
【図２】ショーケースの側面断面図
【図３】ショーケースの冷凍サイクルを示す冷媒回路図
【図４】冷気流通ダクトの取付け状態を示すショーケースの要部側面断面図
【図５】商品収納部の加熱及び一温度での冷却を同時に行なう場合のショーケースの側面断面図
【図６】商品収納部の二温度での冷却を同時に行なう場合のショーケースの側面断面図
【図７】商品収納部の加熱及び二温度での冷却を同時に行なう場合のショーケースの側面断面図
【図８】本発明の第２の実施形態を示す商品収納部の加熱及び一温度での冷却を同時に行う場合のショーケースの側面断面図
【図９】商品収納部の加熱及び一温度での冷却を同時に行う場合の他の例を示すショーケースの側面断面図
【図１０】商品収納部の二温度での冷却を同時に行う場合のショーケースの側面断面図
【図１１】商品収納部の加熱及び二温度での冷却を同時に行う場合のショーケースの側面断面図
【図１２】本発明の第３の実施形態を示すショーケースの側面断面図
【図１３】本発明の第４の実施形態を示すショーケースの側面断面図
【図１４】その他の例を示す冷媒回路図
【図１５】その他の例を示すショーケースの側面断面図
【符号の説明】
【００４２】
１０…ショーケース本体、１７…商品収納部、２０…商品棚、３０…通風路、３３…仕切板、３３ａ…第１の背面側通風路、３３ｂ…第２の背面側通風路、３４…冷却器、３４ａ…第１の冷却器、３４ｂ…第２の冷却器、３７…送風機、４０…冷気流通ダクト、６０…通風路、６０ａ…第１の通風路、６０ｂ…第２の通風路、６２…仕切板、６４ａ…第１の送風機、６４ｂ…第２の送風機。
【図１】
2007085611.tif 000003
【図２】
2007085611.tif 000004
【図３】
2007085611.tif 000005
【図４】
2007085611.tif 000006
【図５】
2007085611.tif 000007
【図６】
2007085611.tif 000008
【図７】
2007085611.tif 000009
【図８】
2007085611.tif 000010
【図９】
2007085611.tif 000011
【図１０】
2007085611.tif 000012
【図１１】
2007085611.tif 000013
【図１２】
2007085611.tif 000014
【図１３】
2007085611.tif 000015
【図１４】
2007085611.tif 000016
【図１５】
2007085611.tif 000017